(57)【特許請求の範囲】
【請求項１】
ユーザー端末からの閲覧要求に対応しＷＥＢページ情報を提供するＷＥＢページ提供装置と、前記ＷＥＢページ提供装置による前記ＷＥＢページ情報の提供動作を制御する提供ページ制御装置と、を含むＷＥＢページ提供システムであって、
前記ＷＥＢページ提供装置が、
前記ユーザー端末に提供する前記ＷＥＢページ情報を記憶するＷＥＢページ記憶手段と、
一のＵＲＬ（Uniform Resource Locator）で特定される前記ＷＥＢページ情報に係る閲覧要求を行う前記ユーザー端末に対し該ユーザー端末を識別するユーザー端末識別情報の提供要求を行う端末識別情報取得・書込手段と、
前記ユーザー端末を操作するユーザーに係る属性情報を該ユーザー端末において行われた入力操作に基づき取得するユーザー情報取得手段と、
前記閲覧要求、前記ユーザー端末識別情報及び前記属性情報を前記提供ページ制御装置へ通知する端末情報通知手段と、を有し、
前記提供ページ制御装置が、
前記ユーザー端末識別情報及び前記属性情報を対応付けて記憶するユーザー情報記憶手段と、
前記ユーザー端末に提供する前記ＷＥＢページ情報を特定するための制御規則及び該制御規則が適用される条件を対応付けて記憶する制御規則記憶手段と、
前記端末情報通知手段によって通知された前記閲覧要求及び前記ユーザー端末識別情報と前記ユーザー情報記憶手段において対応付けられる前記属性情報が前記条件を満たす場合、前記制御規則記憶手段において前記条件と対応付けられる前記制御規則を抽出する制御規則抽出手段と、
前記制御規則抽出手段によって抽出された前記制御規則を前記ＷＥＢページ提供装置へ通知する制御規則通知手段と、を有し、さらに、
前記ＷＥＢページ提供装置が、
前記制御規則通知手段によって通知された前記制御規則に基づいて、前記ＷＥＢページ記憶手段に記憶される他のＵＲＬで特定される前記ＷＥＢページ情報を特定するＷＥＢページ特定手段と、
前記ＷＥＢページ特定手段によって特定された前記他のＵＲＬで特定されるＷＥＢページ情報を前記ユーザー端末へ通知するＷＥＢページ通知手段と、を有し、
前記ユーザー情報取得手段が、前記ユーザーが商品・サービスを購入する時に提供されたＷＥＢページ情報において入力した前記ユーザーを特定するユーザー特定情報を取得し、
前記制御規則抽出手段が、前記制御規則と共に、前記端末情報通知手段によって通知された前記ユーザー端末識別情報と前記ユーザー情報記憶手段において対応付けられた前記ユーザー特定情報を抽出し、
前記制御規則通知手段が、前記制御規則抽出手段によって抽出された前記ユーザー特定情報を通知し、
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から所定の前記ＷＥＢページ情報を選択し、該所定のＷＥＢページ情報内の前記制御規則で指定される所定位置に前記ユーザー特定情報を挿入することによって、前記ユーザー端末へ通知する前記他のＵＲＬで特定されるＷＥＢページ情報を生成することを特徴とするＷＥＢページ提供システム。
【請求項２】
ユーザー端末からの閲覧要求に対応しＷＥＢページ情報を提供するＷＥＢページ提供装置と、前記ＷＥＢページ提供装置による前記ＷＥＢページ情報の提供動作を制御する提供ページ制御装置と、を含むＷＥＢページ提供システムであって、
前記ＷＥＢページ提供装置が、
前記ユーザー端末に提供する前記ＷＥＢページ情報を記憶するＷＥＢページ記憶手段と、
一のＵＲＬ（Uniform Resource Locator）で特定される前記ＷＥＢページ情報に係る閲覧要求を行う前記ユーザー端末に対し該ユーザー端末を識別するユーザー端末識別情報の提供要求を行う端末識別情報取得・書込手段と、
前記ユーザー端末を操作するユーザーに係る属性情報を該ユーザー端末において行われた入力操作に基づき取得するユーザー情報取得手段と、
前記閲覧要求、前記ユーザー端末識別情報及び前記属性情報を前記提供ページ制御装置へ通知する端末情報通知手段と、を有し、
前記提供ページ制御装置が、
前記ユーザー端末識別情報及び前記属性情報を対応付けて記憶するユーザー情報記憶手段と、
前記ユーザー端末に提供する前記ＷＥＢページ情報を特定するための制御規則及び該制御規則が適用される条件を対応付けて記憶する制御規則記憶手段と、
前記端末情報通知手段によって通知された前記閲覧要求及び前記ユーザー端末識別情報と前記ユーザー情報記憶手段において対応付けられる前記属性情報が前記条件を満たす場合、前記制御規則記憶手段において前記条件と対応付けられる前記制御規則を抽出する制御規則抽出手段と、
前記制御規則抽出手段によって抽出された前記制御規則を前記ＷＥＢページ提供装置へ通知する制御規則通知手段と、を有し、さらに、
前記ＷＥＢページ提供装置が、
前記制御規則通知手段によって通知された前記制御規則に基づいて、前記ＷＥＢページ記憶手段に記憶される他のＵＲＬで特定される前記ＷＥＢページ情報を特定するＷＥＢページ特定手段と、
前記ＷＥＢページ特定手段によって特定された前記他のＵＲＬで特定されるＷＥＢページ情報を前記ユーザー端末へ通知するＷＥＢページ通知手段と、を有し、
前記ユーザー情報取得手段が、前記ユーザーが商品・サービスの試供を申し込む時に提供されたＷＥＢページ情報において入力した前記ユーザーを特定するユーザー特定情報を取得し、
前記制御規則抽出手段が、前記制御規則と共に、前記端末情報通知手段によって通知された前記ユーザー端末識別情報と前記ユーザー情報記憶手段において対応付けられた前記ユーザー特定情報を抽出し、
前記制御規則通知手段が、前記制御規則抽出手段によって抽出された前記ユーザー特定情報を通知し、
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から所定の前記ＷＥＢページ情報を選択し、該所定のＷＥＢページ情報内の前記制御規則で指定される所定位置に前記ユーザー特定情報を挿入することによって、前記ユーザー端末へ通知する前記他のＵＲＬで特定されるＷＥＢページ情報を生成することを特徴とするＷＥＢページ提供システム。
【請求項３】
前記ユーザー情報記憶手段において、前記ユーザー端末識別情報及び前記閲覧要求に係る履歴が対応付けて記憶される場合、
前記制御規則抽出手段が、前記端末情報通知手段によって通知された前記ユーザー端末識別情報と前記ユーザー情報記憶手段において対応付けられる前記履歴が前記条件を満たす場合、前記制御規則記憶手段において前記条件と対応付けられる前記制御規則を抽出することを特徴とする請求項１又は２に記載のＷＥＢページ提供システム。
【請求項４】
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から前記他のＵＲＬで特定されるＷＥＢページ情報を選択することによって、前記ユーザー端末へ通知する前記他のＵＲＬで特定されるＷＥＢページ情報を特定することを特徴とする請求項１乃至３の何れか一に記載のＷＥＢページ提供システム。
【請求項５】
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から所定の前記ＷＥＢページ情報を選択し、該所定のＷＥＢページ情報内の前記制御規則で指定される所定位置に前記制御規則で指定される所定情報を挿入することによって、前記ユーザー端末へ通知する前記他のＵＲＬで特定されるＷＥＢページ情報を生成することを特徴とする請求項１乃至３の何れか一に記載のＷＥＢページ提供システム。
【請求項６】
ユーザー端末からの閲覧要求に対応しＷＥＢページ情報を提供するＷＥＢページ提供装置と、前記ＷＥＢページ提供装置による前記ＷＥＢページ情報の提供動作を制御する提供ページ制御装置と、を含むＷＥＢページ提供システムにおいて行われるＷＥＢページ提供方法であって、
前記ユーザー端末に提供する前記ＷＥＢページ情報を記憶するＷＥＢページ記憶手段を有する前記ＷＥＢページ提供装置において、
端末識別情報取得・書込手段が、一のＵＲＬで特定される前記ＷＥＢページ情報に係る閲覧要求を行う前記ユーザー端末に対し該ユーザー端末を識別するユーザー端末識別情報の提供要求を行うステップと、
ユーザー情報取得手段が、前記ユーザー端末を操作するユーザーに係る属性情報を該ユーザー端末において行われた入力操作に基づき取得するステップと、
端末情報通知手段が、前記閲覧要求、前記ユーザー端末識別情報及び前記属性情報を前記提供ページ制御装置へ通知するステップと、を含み、
前記ユーザー端末識別情報及び前記属性情報を対応付けて記憶するユーザー情報記憶手段と前記ユーザー端末に提供する前記ＷＥＢページ情報を特定するための制御規則及び該制御規則が適用される条件を対応付けて記憶する制御規則記憶手段とを有する前記提供ページ制御装置において、
制御規則抽出手段が、前記端末情報通知手段によって通知された前記閲覧要求及び前記ユーザー端末識別情報と前記ユーザー情報記憶手段において対応付けられる前記属性情報が前記条件を満たす場合、前記制御規則記憶手段において前記条件と対応付けられる前記制御規則を抽出するステップと、
制御規則通知手段が、前記制御規則抽出手段によって抽出された前記制御規則を前記ＷＥＢページ提供装置へ通知するステップと、を含み、さらに、
前記ＷＥＢページ提供装置において、
ＷＥＢページ特定手段が、前記制御規則通知手段によって通知された前記制御規則に基づいて、前記ＷＥＢページ記憶手段に記憶される他のＵＲＬで特定される前記ＷＥＢページ情報を特定するステップと、
ＷＥＢページ通知手段が、前記ＷＥＢページ特定手段によって特定された前記他のＵＲＬで特定されるＷＥＢページ情報を前記ユーザー端末へ通知するステップと、を含み、
前記ユーザー情報取得手段が、前記ユーザーが商品・サービスを購入する時に提供されたＷＥＢページ情報において入力した前記ユーザーを特定するユーザー特定情報を取得し、
前記制御規則抽出手段が、前記制御規則と共に、前記端末情報通知手段によって通知された前記ユーザー端末識別情報と前記ユーザー情報記憶手段において対応付けられた前記ユーザー特定情報を抽出し、
前記制御規則通知手段が、前記制御規則抽出手段によって抽出された前記ユーザー特定情報を通知し、
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から所定の前記ＷＥＢページ情報を選択し、該所定のＷＥＢページ情報内の前記制御規則で指定される所定位置に前記ユーザー特定情報を挿入することによって、前記ユーザー端末へ通知する前記他のＵＲＬで特定されるＷＥＢページ情報を生成することを特徴とするＷＥＢページ提供方法。
【請求項７】
ユーザー端末からの閲覧要求に対応しＷＥＢページ情報を提供するＷＥＢページ提供装置と、前記ＷＥＢページ提供装置による前記ＷＥＢページ情報の提供動作を制御する提供ページ制御装置と、を含むＷＥＢページ提供システムにおいて行われるＷＥＢページ提供方法であって、
前記ユーザー端末に提供する前記ＷＥＢページ情報を記憶するＷＥＢページ記憶手段を有する前記ＷＥＢページ提供装置において、
端末識別情報取得・書込手段が、一のＵＲＬで特定される前記ＷＥＢページ情報に係る閲覧要求を行う前記ユーザー端末に対し該ユーザー端末を識別するユーザー端末識別情報の提供要求を行うステップと、
ユーザー情報取得手段が、前記ユーザー端末を操作するユーザーに係る属性情報を該ユーザー端末において行われた入力操作に基づき取得するステップと、
端末情報通知手段が、前記閲覧要求、前記ユーザー端末識別情報及び前記属性情報を前記提供ページ制御装置へ通知するステップと、を含み、
前記ユーザー端末識別情報及び前記属性情報を対応付けて記憶するユーザー情報記憶手段と前記ユーザー端末に提供する前記ＷＥＢページ情報を特定するための制御規則及び該制御規則が適用される条件を対応付けて記憶する制御規則記憶手段とを有する前記提供ページ制御装置において、
制御規則抽出手段が、前記端末情報通知手段によって通知された前記閲覧要求及び前記ユーザー端末識別情報と前記ユーザー情報記憶手段において対応付けられる前記属性情報が前記条件を満たす場合、前記制御規則記憶手段において前記条件と対応付けられる前記制御規則を抽出するステップと、
制御規則通知手段が、前記制御規則抽出手段によって抽出された前記制御規則を前記ＷＥＢページ提供装置へ通知するステップと、を含み、さらに、
前記ＷＥＢページ提供装置において、
ＷＥＢページ特定手段が、前記制御規則通知手段によって通知された前記制御規則に基づいて、前記ＷＥＢページ記憶手段に記憶される他のＵＲＬで特定される前記ＷＥＢページ情報を特定するステップと、
ＷＥＢページ通知手段が、前記ＷＥＢページ特定手段によって特定された前記他のＵＲＬで特定されるＷＥＢページ情報を前記ユーザー端末へ通知するステップと、を含み、
前記ユーザー情報取得手段が、前記ユーザーが商品・サービスの試供を申し込む時に提供されたＷＥＢページ情報において入力した前記ユーザーを特定するユーザー特定情報を取得し、
前記制御規則抽出手段が、前記制御規則と共に、前記端末情報通知手段によって通知された前記ユーザー端末識別情報と前記ユーザー情報記憶手段において対応付けられた前記ユーザー特定情報を抽出し、
前記制御規則通知手段が、前記制御規則抽出手段によって抽出された前記ユーザー特定情報を通知し、
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から所定の前記ＷＥＢページ情報を選択し、該所定のＷＥＢページ情報内の前記制御規則で指定される所定位置に前記ユーザー特定情報を挿入することによって、前記ユーザー端末へ通知する前記他のＵＲＬで特定されるＷＥＢページ情報を生成することを特徴とするＷＥＢページ提供方法。
【請求項８】
前記ユーザー情報記憶手段において、前記ユーザー端末識別情報及び前記閲覧要求に係る履歴が対応付けて記憶される場合、
前記制御規則抽出手段が、前記端末情報通知手段によって通知された前記ユーザー端末識別情報と前記ユーザー情報記憶手段において対応付けられる前記履歴が前記条件を満たす場合、前記制御規則記憶手段において前記条件と対応付けられる前記制御規則を抽出することを特徴とする請求項６又は７に記載のＷＥＢページ提供方法。
【請求項９】
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から前記他のＵＲＬで特定されるＷＥＢページ情報を選択することによって、前記ユーザー端末へ通知する前記他のＵＲＬで特定されるＷＥＢページ情報を特定することを特徴とする請求項６乃至８の何れか一に記載のＷＥＢページ提供方法。
【請求項１０】
前記ＷＥＢページ特定手段が、前記制御規則通知手段によって通知された前記制御規則で指定される前記ＷＥＢページ情報であって、前記ＷＥＢページ記憶手段に記憶される前記ＷＥＢページ情報の中から所定の前記ＷＥＢページ情報を選択し、該所定のＷＥＢページ情報内の前記制御規則で指定される所定位置に前記制御規則で指定される所定情報を挿入することによって、前記ユーザー端末へ通知する前記他のＵＲＬで特定されるＷＥＢページ情報を生成することを特徴とする請求項６乃至８の何れか一に記載のＷＥＢページ提供方法。
【発明の詳細な説明】
【技術分野】
【０００１】
ユーザーの閲覧要求に対し、販売促進のための適切なＷＥＢページを提供するシステムの技術に関する。
【背景技術】
【０００２】
近年インターネット上には、多数の仮想店舗が開設されており、一般消費者にとって当該仮想店舗において商品・サービスを購入することは珍しいことではなくなってきている。
【０００３】
一方で、インターネット上に多数の仮想店舗が開設されている状況下、店舗間の競争は激化しており、各店舗は業績を維持・向上させるために取扱商品・サービスの販売促進活動が重要なものとなってきている。
【０００４】
そのような市場のニーズに呼応して、インターネット上での販売促進活動に関する技術の研究・開発も盛んに行われている。例えば特許文献１では、表示させているＷＥＢページに応じて選択されたバナー広告等ウェブ表示情報を当該ＷＥＢページと共に表示させる技術が提案されている。
【先行技術文献】
【特許文献】
【０００５】
【特許文献１】特許第５４１５６３９号公報
【発明の概要】
【発明が解決しようとする課題】
【０００６】
しかしながら、上記の従来技術においては、見込み客の主要なアプローチ経路である検索エンジンの検索結果及びリスティング広告・アフィリエイト広告からの商品役務販売サイトへのアクセスに、販売促進の手段として適用することができないという問題点があった。
【０００７】
そこで、本発明は、上記問題点に鑑み、検索エンジンの検索結果又はリスティング広告・アフィリエイト広告等から対象サイトへのアクセスがあった場合に、商品役務の販売促進の手段として機能するＷＥＢページ提供システム及びＷＥＢページ提供方法を提供することを目的とする。
【課題を解決するための手段】
【０００８】
開示するＷＥＢページ提供システムの一形態は、ユーザー端末からの閲覧要求に対応しＷＥＢページ情報を提供するＷＥＢページ提供装置と、前記ＷＥＢページ提供装置による前記ＷＥＢページ情報の提供動作を制御する提供ページ制御装置と、を含むＷＥＢページ提供システムであって、前記ＷＥＢページ提供装置が、前記ユーザー端末に提供する前記ＷＥＢページ情報を記憶するＷＥＢページ記憶手段と、一の前記ＷＥＢページ情報に係る閲覧要求を行う前記ユーザー端末に対し該ユーザー端末を識別するユーザー端末識別情報の提供要求を行い、前記ユーザー端末が前記ユーザー端末識別情報を有していない場合、新たに割り当てた前記ユーザー端末識別情報を前記ユーザー端末に対し書き込む端末識別情報取得・書込手段と、前記ユーザー端末を操作するユーザーに係る属性情報を該ユーザー端末において行われた入力操作に基づき取得するユーザー情報取得手段と、前記閲覧要求、前記ユーザー端末識別情報及び前記属性情報を前記提供ページ制御装置へ通知する端末情報通知手段と、を有し、前記提供ページ制御装置が、前記ユーザー端末識別情報及び前記属性情報を対応付けて記憶するユーザー情報記憶手段と、前記ユーザー端末に提供する前記ＷＥＢページ情報を特定するための制御規則及び該制御規則が適用される条件を対応付けて記憶する制御規則記憶手段と、前記端末情報通知手段によって通知された前記閲覧要求及び前記ユーザー端末識別情報と前記ユーザー情報記憶手段において対応付けられる前記属性情報が前記条件を満たす場合、前記制御規則記憶手段において前記条件と対応付けられる前記制御規則を抽出する制御規則抽出手段と、前記制御規則抽出手段によって抽出された前記制御規則を前記ＷＥＢページ提供装置へ通知する制御規則通知手段と、を有し、さらに、前記ＷＥＢページ提供装置が、前記制御規則通知手段によって通知された前記制御規則に基づいて、前記ＷＥＢページ記憶手段に記憶される他の前記ＷＥＢページ情報を特定するＷＥＢページ特定手段と、前記ＷＥＢページ特定手段によって特定された前記他のＷＥＢページ情報を前記ユーザー端末へ通知するＷＥＢページ通知手段と、を有することを特徴とする。
【発明の効果】
【０００９】
開示するＷＥＢページ提供システムは、検索エンジンの検索結果又はリスティング広告・アフィリエイト広告等から対象サイトへのアクセスがあった場合に、商品役務の販売促進の手段としての機能を提供する。
【図面の簡単な説明】
【００１０】
【図１】本実施の形態に係るＷＥＢページ提供システムの概要を説明する図である。
【図２】本実施の形態に係るＷＥＢページ提供システムの機能ブロック図である。
【図３】本実施の形態に係るＷＥＢページ提供システムが機能していない場合にユーザー端末からの一の閲覧要求に応じ提供されるＷＥＢページの一例を示す図である。
【図４】本実施の形態に係るＷＥＢページ提供システムが機能している場合にユーザー端末からの一の閲覧要求に応じ提供されるＷＥＢページの一例を示す図である。
【図５】本実施の形態に係るＷＥＢページ提供システムが機能している場合にユーザー端末からの一の閲覧要求に応じ提供されるＷＥＢページの一例を示す図である。
【図６】本実施の形態に係るＷＥＢページ提供システムが機能している場合にユーザー端末からの一の閲覧要求に応じ提供されるＷＥＢページの一例を示す図である。
【図７】本実施の形態に係る商品購入時提供ＷＥＢページの一例を示す図である。
【図８】本実施の形態に係るユーザー情報記憶手段に記憶される情報の一例を示す図である。
【図９】本実施の形態に係る制御規則記憶手段に記憶される情報の一例を示す図である。
【図１０】本実施の形態に係るＷＥＢページ提供装置のハードウエア構成例を示す図である。
【図１１】本実施の形態に係る提供ページ制御装置のハードウエア構成例を示す図である。
【図１２】本実施の形態に係るＷＥＢページ提供システムによる処理例の流れを示すシーケンス図である。
【発明を実施するための形態】
【００１１】
図面を参照しながら、本発明を実施するための形態について説明する。
（本実施の形態に係るＷＥＢページ提供システムの概要）
【００１２】
図１を用いて、本実施の形態に係るＷＥＢページ提供システム（以下、単に「本システム」という。）１の概要について説明する。図１で示すように、本システム１は、ＷＥＢページ提供装置（以下、単に「提供装置」という。）１００、提供ページ制御装置（以下、単に「制御装置」という。）２００を有し、これらは通信ネットワーク３１０を介して接続される。また提供装置１００は、通信ネットワーク３１０を介してユーザー端末３２０と接続される。ここで、ユーザー端末３２０とは、提供装置１００へＷＥＢページ３４０の閲覧要求を行うユーザーが操作する端末のことであって、提供装置１００及び制御装置２００の管理者が操作する端末のことではない。
【００１３】
提供装置１００は、ユーザー端末３２０から行われるＷＥＢページ３４０の閲覧要求３５０に応じ、ユーザー端末３２０へ閲覧用ＷＥＢページ３４０を送信する機能を備え、例えば、商品・サービスを販売するＷＥＢサイトに係る情報を記憶しているサーバー装置である。
【００１４】
制御装置２００は、ユーザー端末３２０からのＷＥＢページ閲覧要求３５０に応じ、提供装置１００がユーザー端末３２０へ送信するＷＥＢページ３４０を特定する（生成する）指示を出す装置である。
【００１５】
制御装置２００は、ユーザーの閲覧要求３５０に係るＷＥＢページ（例えば、ＵＲＬ：Uniform Resource Locator）３４０、住所・年齢・性別・購入済商品等の個人情報、ＷＥＢページ３４０の閲覧履歴などを適宜組み合わせた条件が満たされる場合、合致した条件に対応する所定のＷＥＢページ３４０をユーザー端末３２０へ送信するように提供装置１００へ指示を行う。
【００１６】
提供装置１００は、制御装置２００から受けた指示に従い選択・生成したＷＥＢページ３４０をユーザー端末３２０へ送信する。本システム１（提供装置１００、制御装置２００）が機能する場合、ユーザー端末３２０へ送信されるＷＥＢページ３４０は、ユーザーの閲覧要求３５０で指定されるＷＥＢページ３４０とは異なる、商品・サービスの販売促進の手段と成り得るものである。
（本実施の形態に係るＷＥＢページ提供システムの動作原理）
【００１７】
図２乃至８を用いて、本システム１の動作原理について説明する。図２は、本システム１の機能ブロック図である。図２で示すように、本システム１は、提供装置１００、制御装置２００を有する。また、提供装置１００は、ユーザー端末３２０と通信ネットワーク３１０を介して接続される。
【００１８】
図２で示すように、提供装置１００は、ＷＥＢページ記憶手段１１０、端末識別情報取得・書込手段１２０、ユーザー情報取得手段１３０、端末情報通知手段１４０、ＷＥＢページ特定手段１５０、ＷＥＢページ通知手段１６０を有する。
【００１９】
ＷＥＢページ記憶手段１１０は、ユーザー端末３２０からのＷＥＢページ閲覧要求３５０に応じユーザー端末３２０へ提供するＷＥＢページ情報（ＷＥＢページに挿入する画像情報、音声情報、動画情報を含む）３４０を記憶する。ここで、ＷＥＢページ情報３４０とは、ＷＥＢブラウザに一度に表示されるデータのまとまりであり、テキストデータやＨＴＭＬ（HyperText Markup Language）によるレイアウト情報、文書中に埋め込まれた画像や音声、動画などから構成され、ＷＥＢブラウザを用いて閲覧可能な情報である。
【００２０】
図３乃至６は、ＷＥＢページ記憶手段１１０に記憶されるＷＥＢページ情報３４０の一例を示す図である。図３乃至６で示すように、ＷＥＢページ記憶手段１１０には、ユーザー端末３２０へ提供するＷＥＢページ情報３４０が記憶されている。
【００２１】
端末識別情報取得・書込手段１２０は、ＷＥＢページ情報３４０の閲覧要求３５０を行ったユーザー端末３２０に対し、ユーザー端末３２０を識別するユーザー端末識別情報３３０の提供を要求すると共に、要求に応じ提供される端末識別情報３３０を取得する。
【００２２】
端末識別情報取得・書込手段１２０は、ユーザー端末３２０がユーザー端末識別情報３３０を有していない場合、新たにユーザー端末識別情報３３０を割り当てると共に、新たに割り当てたユーザー端末識別情報３３０をユーザー端末３２０に対し書き込む。
【００２３】
ここで、端末識別情報取得・書込手段１２０が読み取りを行ったり、書込を行ったりするユーザー端末識別情報３３０は、例えば、クッキー（Cookie、HTTP Cookie）の機能を利用して行われる。クッキーとは、ＷＥＢブラウザを通じて、ＷＥＢサイト管理者がＷＥＢページ閲覧者の端末に一時的にデータを書き込んで保存させる仕組みのことである。
【００２４】
なお、ユーザー端末３２０からのＷＥＢページ情報３４０の閲覧要求３５０は、グーグル（登録商標）やヤフー（登録商標）等の検索エンジンの検索結果を経由して行われる場合や、リスティング広告やアフィリエイト広告等のインターネット上の広告を介して行われる場合が想定される。また、閲覧要求３５０は、ＷＥＢブラウザに直接ＵＲＬを入力指定して行われるものであっても良い。
【００２５】
ユーザー情報取得手段１３０は、ユーザー端末３２０を操作するユーザーに係る属性情報３８０をユーザー端末３２０において行われた入力操作に基づき取得する。ここで、ユーザー属性情報３８０とは、ユーザーの氏名、住所、電子メールアドレス、電話番号、生年月日、性別等、ユーザーを特徴づけるユーザー固有の情報である。
【００２６】
また、ユーザー情報取得手段１３０は、商品・サービスを購入する時に提供されるＷＥＢページ情報（商品・サービスの購入ページ）４００において入力された、ユーザーを特定するユーザー特定情報３９０を取得する形態としても良い。この場合、ユーザー情報取得手段１３０は、ユーザー特定情報３９０（ユーザー属性情報３８０）として、ユーザーの氏名、住所、電子メールアドレス、電話番号、生年月日、性別等をはじめ、ユーザーが購入した商品・サービスに係る情報も取得する。例えば図７で示すように、ユーザー情報取得手段１３０は、商品・サービスの購入ページ４００において入力されたユーザー特定情報３９０を取得する。
【００２７】
また、ユーザー情報取得手段１３０は、商品・サービスの試供を申し込む時に提供されるＷＥＢページ情報（商品・サービスの試供申し込みページ）４１０において入力されたユーザー特定情報３９０を取得する形態としても良い。この場合、ユーザー情報取得手段１３０は、ユーザー特定情報３９０（ユーザー属性情報３８０）として、ユーザーの氏名、住所、電子メールアドレス、電話番号、生年月日、性別等をはじめ、ユーザーが試供を申し込んだ商品・サービスに係る情報も取得する。なお、ユーザー特定情報３９０は、ユーザー属性情報３８０の下位概念である。
【００２８】
端末情報通知手段１４０は、制御装置２００に対し、ユーザー端末３２０からのＷＥＢページ閲覧要求３５０、ユーザー端末３２０に係るユーザー端末識別情報３３０を通知する。ユーザー情報取得手段１３０がユーザー特定情報３９０（ユーザー属性情報３８０）を取得した場合、端末情報通知手段１４０は、制御装置２００に対し、ユーザー端末識別情報３３０と共に、ユーザー特定情報３９０（ユーザー属性情報３８０）を通知する。
【００２９】
ＷＥＢページ特定手段１５０は、後述する制御規則通知手段２３０によって通知される制御規則３７０に従って、ＷＥＢページ記憶手段１１０に記憶される情報の中から、ユーザー端末３２０に提供するＷＥＢページ情報３４０を特定する。ここで、ユーザー端末３２０に提供するＷＥＢページ情報３４０は、商品・サービスの販売促進の手段としての役割を果たすため、当初のＷＥＢページ閲覧要求３５０に係るＷＥＢページ情報３４０とは内容を異にし、何らかの加工がなされたＷＥＢページ情報３４０である。
【００３０】
ＷＥＢページ特定手段１５０は、当初の閲覧要求３５０に係るＷＥＢページ情報３４０とは異なるＵＲＬで指定されるＷＥＢページ情報３４０を選択する形態であっても良い。図３及び４で示すように例えば、ＷＥＢページ特定手段１５０は、当初の閲覧要求３５０に係るＷＥＢページ情報３４０が図３で示されるようなＷＥＢページであるところ、図４で示すようなＷＥＢページを選択する。図４は、既に１度、商品・サービスを購入している客には通常の商品紹介用ＷＥＢページは見せず、特別な提案を行う（定期購入を促す）ＷＥＢページを見せるような販売促進の手段への適用例を示している。
【００３１】
また、ＷＥＢページ特定手段１５０は、当初の閲覧要求３５０に係るＷＥＢページ情報３４０と同一のＵＲＬで指定されるＷＥＢページ情報３４０であるが、制御規則３７０で指定されるテキスト情報、画像情報、音声情報又は動画情報を所定位置に挿入してＷＥＢページ情報３４０を生成する形態であっても良い。ここで、ＷＥＢページ情報３４０に挿入される情報は、ユーザー情報取得手段１３０によって取得されたユーザー特定情報３９０に基づく情報であっても良い。
【００３２】
図５で示すように例えば、ＷＥＢページ特定手段１５０は、指定されるＷＥＢページ情報３４０の右上位置に所定の画像情報を挿入して、ユーザー端末３２０へ提供するＷＥＢページ情報３４０を生成する。図５は、例えば、時期に応じた特別な提案を行う（期間限定商品キャンペーン、在庫処分の割引キャンペーン等）ＷＥＢページを見せるような販売促進の手段への適用例を示している。
【００３３】
図６で示すように例えば、ＷＥＢページ特定手段１５０は、指定されるＷＥＢページ情報３４０の最上位位置に、ユーザー特定情報３９０（ここでは「商品購入日」、「ユーザーの氏名」）を挿入して、ユーザー端末３２０へ提供するＷＥＢページ情報３４０を生成する。図６は、例えば、商品を購入（試供品を申込み）した日から一定期間内の客に対し特別な提案（定期購入を促す）ＷＥＢページを見せるような販売促進の手段への適用例を示している。
【００３４】
さらに、ＷＥＢページ特定手段１５０は、当初の閲覧要求３５０に係るＷＥＢページ情報３４０とは異なるＵＲＬで指定されるＷＥＢページ情報３４０を選択すると共に、選択したＷＥＢページ情報３４０の所定位置に、制御規則３７０で指定されるテキスト情報、画像情報、音声情報又は動画情報を挿入してＷＥＢページ情報３４０を生成する形態であっても良い。
【００３５】
ＷＥＢページ通知手段１６０は、ＷＥＢページ情報３４０の閲覧要求を行ったユーザー端末３２０に対し、ＷＥＢページ特定手段１５０によって特定されたＷＥＢページ情報３４０を通知する。ユーザー端末３２０は、ＷＥＢブラウザを利用して、ＷＥＢページ通知手段１６０によって通知されたＷＥＢページ情報３４０を閲覧することが可能である。
図２で示すように、制御装置２００は、制御規則記憶手段２１０、制御規則抽出手段２２０、制御規則通知手段２３０、ユーザー情報記憶手段２４０を有する。
【００３６】
ユーザー情報記憶手段２４０は、端末情報通知手段１４０によって通知されるユーザー端末識別情報３３０、ユーザー属性情報３８０（又はユーザー特定情報３９０）及びＷＥＢページ閲覧要求３５０に係る履歴３６０を関連付けて記憶する。
【００３７】
図８で示すように、ユーザー情報記憶手段２４０は、端末識別情報３３０「１００００１」、ユーザー特定情報３９０「氏名：道明  翔太」「住所：東京都世田谷区□□」…、閲覧履歴３６０「履歴１：http://www.aaa.co.jp/kounyu.html」…それぞれを対応付けて記憶する。
【００３８】
制御規則記憶手段２１０は、ＷＥＢページ特定手段１５０がＷＥＢページ情報３４０を特定するための制御規則３７０と制御規則３７０が適用される条件４２０とを対応付けて記憶する。制御規則３７０が適用される条件４２０は、ＷＥＢページ閲覧要求３５０、閲覧要求３５０に係る履歴３６０、ユーザー属性情報３８０（又はユーザー特定情報３９０）を適宜組み合わせて設定される。
【００３９】
図９の１行目で示すように、制御規則記憶手段２１０は、閲覧要求３５０「http://www.aaa.co.jp/teiki-kounyu.html」、閲覧履歴３６０「http://www.aaa.co.jp/kounyu.html」…という抽出条件４２０と、制御規則３７０「提供ＷＥＢページＵＲＬ：http://www.aaa.co.jp/teiki-kounyu2.html」…と、を対応付けて記憶する。
【００４０】
また、図９の２行目で示すように、制御規則記憶手段２１０は、閲覧要求３５０「http://www.aaa.co.jp/sai-kounyu.html」、閲覧履歴３６０「http://www.aaa.co.jp/kounyu.html」、ユーザー特定情報３９０「性別：男」「購入日／試供品申込日（からの経過期間）：１月以内」…という抽出条件４２０と、制御規則３７０「提供ＷＥＢページＵＲＬ：http://www.aaa.co.jp/sai-kounyu2.html」「ユーザー特定情報の挿入場所：ＷＥＢページの一番上」「挿入するユーザー特定情報：氏名」…と、を対応付けて記憶する。
【００４１】
制御規則抽出手段２２０は、端末情報通知手段１４０によって通知された閲覧要求３５０及びユーザー端末識別情報３３０とユーザー情報記憶手段２４０において対応付けられるユーザー属性情報３８０（又はユーザー特定情報３９０）が制御規則記憶手段２１０において記憶される抽出条件４２０と合致するか否かを判定する。制御規則抽出手段２２０は、合致すると判定した場合、合致した抽出条件４２０と制御規則記憶手段２１０において対応付けられている制御規則３７０を抽出する。制御規則抽出手段２２０は、制御規則３７０の抽出条件４２０として、少なくとも閲覧要求３５０及びユーザー属性情報３８０（又はユーザー特定情報３９０）を考慮する。
【００４２】
さらに制御規則抽出手段２２０は、抽出条件４２０として、閲覧要求３５０及びユーザー属性情報３８０（又はユーザー特定情報３９０）に加えて閲覧履歴３６０（商品・サービスの購入画面、試供品の申込画面への往訪履歴を含む）を考慮する形態としても良い。
【００４３】
ここで制御規則３７０とは、当初なされた閲覧要求３５０に係るＷＥＢページ情報３４０とは内容を異にし、何らかの加工がなされたＷＥＢページ情報３４０をユーザー端末３２０へ送信させる指示である。図９の１行目で示すように、制御規則３７０とは、当初の閲覧要求３５０に係るＷＥＢページ情報３４０とは異なるＵＲＬで指定されるＷＥＢページ情報３４０を選択させる内容であっても良い。
【００４４】
図９の３行目で示すように、制御規則３７０とは、当初の閲覧要求３５０に係るＷＥＢページ情報３４０と同一のＵＲＬで指定されるＷＥＢページ情報３４０であるが、制御規則３７０で指定されるテキスト情報、画像情報、音声情報又は動画情報を所定位置に挿入してＷＥＢページ情報３４０を生成させる内容であっても良い。
【００４５】
図９の２行目で示すように、制御規則３７０とは、制御規則３７０とは、当初の閲覧要求３５０に係るＷＥＢページ情報３４０とは異なるＵＲＬで指定されるＷＥＢページ情報３４０を選択すると共に、選択されたＷＥＢページ情報３４０の所定位置に、所定のテキスト情報、画像情報、音声情報又は動画情報を挿入してＷＥＢページ情報３４０を生成させる内容であっても良い。
本システム１は、制御規則３７０及び適用条件４２０を適当に設定することによって、下記のような販売促進手段としての機能を提供することができる。
・試供品の申込履歴があるユーザーへ定期購入を提案するＷＥＢページを閲覧させる
→適用条件４２０：試供品申込（ページ）の履歴、試供品申込日で設定
・定期購入の履歴があるユーザーへ関連商品の購入を提案するＷＥＢページを閲覧させる
→適用条件４２０：定期購入申込（ページ）の履歴、購入日で設定
・商品購入日から所定期間内のユーザーへ特別な提案を行うＷＥＢページを閲覧させる
→適用条件４２０：購入申込（ページ）の履歴、購入日で設定
・所定期間内で商品購入をしたユーザーへ特別な提案を行うＷＥＢページを閲覧させる
→適用条件４２０：購入申込（ページ）の履歴、購入日で設定
・ユーザーの性別によって異なる内容の提案を行うＷＥＢページを閲覧させる
→適用条件４２０：ユーザーの性別で設定
・ユーザーの誕生月に、クーポンを発行するＷＥＢページを閲覧させる
→適用条件４２０：ユーザーの誕生日（誕生日が属する「月」）で設定
・ユーザー端末の特徴によって異なる内容の提案を行うＷＥＢページを閲覧させる
→適用条件４２０：ユーザー端末がパソコンかスマートフォンの別で設定
・ユーザーのサイト訪問回数に応じた提案を行うＷＥＢページを閲覧させる
→適用条件４２０：ユーザーの訪問履歴で設定
・ユーザーの居住地域の違いによって異なる内容の提案を行うＷＥＢページを閲覧させる
→適用条件４２０：ユーザーの住所（住所情報の「都道府県」単位）で設定
・商品購入には至っていない（かご落ち）ユーザーへ特別な提案を行うＷＥＢページを閲覧させる
→適用条件４２０：ユーザーの訪問履歴で設定
制御規則通知手段２３０は、制御規則抽出手段２２０によって抽出された制御規則３７０を提供装置１００へ通知する。
（本実施の形態に係るＷＥＢページ提供システムのハードウエア構成）
（１）ＷＥＢページ提供装置１００のハードウエア構成例
図１０を用いて、提供装置１００のハードウエア構成例について説明する。図１０は、提供装置１００のハードウエア構成の一例を示す図である。
【００４６】
図１０で示すように、提供装置１００は、ＣＰＵ（Central Processing Unit）５１０、ＲＯＭ（Read-Only Memory）５２０、ＲＡＭ（Random Access Memory）５３０、補助記憶装置５４０、通信Ｉ／Ｆ５５０、入力装置５６０、表示装置５７０、記録媒体Ｉ／Ｆ５８０を有する。
【００４７】
ＣＰＵ５１０は、ＲＯＭ５２０に記憶されたプログラムを実行する装置であり、ＲＡＭ５３０に展開（ロード）されたデータを、プログラムの命令に従って演算処理し、提供装置１００全体を制御する。ＲＯＭ５２０は、ＣＰＵ５１０が実行するプログラムやデータを記憶している。ＲＡＭ５３０は、ＣＰＵ５１０でＲＯＭ５２０に記憶されたプログラムを実行する際に、実行するプログラムやデータが展開（ロード）され、演算の間、演算データを一時的に保持する。
【００４８】
補助記憶装置５４０は、基本ソフトウエアであるＯＳ（Operating System）や本実施の形態に係るアプリケーションプログラムなどを、関連するデータとともに記憶する装置である。補助記憶装置５４０は、ＷＥＢページ記憶手段１１０を含み、例えば、ＨＤＤ（Hard Disc Drive）やフラッシュメモリなどである。
【００４９】
通信Ｉ／Ｆ５５０は、有線・無線ＬＡＮ（Local Area Network）、インターネットなど通信ネットワーク３１０に接続し、通信機能を提供する他装置（ユーザー端末３２０や制御装置２００など）とデータの授受を行うためのインターフェースである。
【００５０】
入力装置５６０は、キーボードなど提供装置１００にデータ入力を行うための装置である。表示装置（出力装置）５７０は、ＬＣＤ（Liquid Crystal Display）等で構成される装置であり、提供装置１００が有する機能をユーザー（対象サイトの運営者等）が利用する際や各種設定を行う際のユーザーインターフェースとして機能する装置である。記録媒体Ｉ／Ｆ５８０は、ＣＤ−ＲＯＭ、ＤＶＤ−ＲＯＭ、ＵＳＢメモリなどの記録媒体５９０とデータの送受信を行うためのインターフェースである。
【００５１】
提供装置１００が有する各手段は、ＣＰＵ５１０が、ＲＯＭ５２０又は補助記憶装置５４０に記憶された各手段に対応するプログラムを実行することにより実現される形態としても良い。また、提供装置１００が有する各手段は、当該各手段に関する処理をハードウエアとして実現される形態としても良い。また、通信Ｉ／Ｆ５５０を介して外部サーバーから本発明に係るプログラムを読み込ませたり、記録媒体Ｉ／Ｆ５８０を介して記録媒体５９０から本発明に係るプログラムを読み込ませたりして、提供装置１００に当該プログラムを実行させる形態としても良い。
（２）提供ページ制御装置２００のハードウエア構成例
図１１を用いて、制御装置２００のハードウエア構成例について説明する。図１１は、制御装置２００のハードウエア構成の一例を示す図である。
【００５２】
図１１で示すように、制御装置２００は、ＣＰＵ６１０、ＲＯＭ６２０、ＲＡＭ６３０、補助記憶装置６４０、通信Ｉ／Ｆ６５０、入力装置６６０、表示装置６７０、記録媒体Ｉ／Ｆ６８０を有する。
【００５３】
ＣＰＵ６１０は、ＲＯＭ６２０に記憶されたプログラムを実行する装置であり、ＲＡＭ６３０に展開（ロード）されたデータを、プログラムの命令に従って演算処理し、制御装置２００全体を制御する。ＲＯＭ６２０は、ＣＰＵ６１０が実行するプログラムやデータを記憶している。ＲＡＭ６３０は、ＣＰＵ６１０でＲＯＭ６２０に記憶されたプログラムを実行する際に、実行するプログラムやデータが展開（ロード）され、演算の間、演算データを一時的に保持する。
【００５４】
補助記憶装置６４０は、基本ソフトウエアであるＯＳや本実施の形態に係るアプリケーションプログラムなどを、関連するデータとともに記憶する装置である。補助記憶装置６４０は、制御規則記憶手段２１０、ユーザー情報記憶手段２４０を含み、例えば、ＨＤＤやフラッシュメモリなどである。
【００５５】
通信Ｉ／Ｆ６５０は、有線・無線ＬＡＮ（Local Area Network）、インターネットなど通信ネットワーク３１０に接続し、通信機能を提供する他装置（提供装置１００など）とデータの授受を行うためのインターフェースである。
【００５６】
入力装置６６０は、キーボードなど制御装置２００にデータ入力を行うための装置である。表示装置（出力装置）６７０は、ＬＣＤ等で構成される装置であり、制御装置２００が有する機能をユーザー（対象サイトの運営者等）が利用する際や各種設定を行う際のユーザーインターフェースとして機能する装置である。記録媒体Ｉ／Ｆ６８０は、ＣＤ−ＲＯＭ、ＤＶＤ−ＲＯＭ、ＵＳＢメモリなどの記録媒体６９０とデータの送受信を行うためのインターフェースである。
【００５７】
制御装置２００が有する各手段は、ＣＰＵ６１０が、ＲＯＭ６２０又は補助記憶装置６４０に記憶された各手段に対応するプログラムを実行することにより実現される形態としても良い。また、制御装置２００が有する各手段は、当該各手段に関する処理をハードウエアとして実現される形態としても良い。また、通信Ｉ／Ｆ６５０を介して外部サーバーから本発明に係るプログラムを読み込ませたり、記録媒体Ｉ／Ｆ６８０を介して記録媒体６９０から本発明に係るプログラムを読み込ませたりして、制御装置２００に当該プログラムを実行させる形態としても良い。
（本実施の形態に係るＷＥＢページ提供システムによる処理例）
図１２を用いて、本システム１による処理例について説明する。図１２は、本システム１が行う処理の一例に係るシーケンス図である。
【００５８】
Ｓ１０でユーザー端末３２０が提供装置１００に対し、一のＷＥＢページ情報３４０に係る閲覧要求３５０を行う。なお、ユーザー端末３２０から行われるＷＥＢページ情報３４０の閲覧要求３５０は、グーグル（登録商標）やヤフー（登録商標）等の検索エンジンの検索結果を経由して行われる場合や、リスティング広告やアフィリエイト広告等のインターネット上の広告を介して行われる場合を想定する。また閲覧要求３５０は、ＷＥＢブラウザに直接ＵＲＬを入力指定して行われるものであっても良い。
【００５９】
Ｓ２０で端末識別情報取得・書込手段１２０が、Ｓ１０において閲覧要求３５０を行ったユーザー端末３２０に対し、ユーザー端末識別情報３３０の提供を要求すると共に、要求に応じ提供される端末識別情報３３０を取得する。図８で示すように、端末識別情報３３０とは、例えば、「１００００１」「１００００２」等の情報であり、クッキー（Cookie、HTTP Cookie）の機能が利用される。
【００６０】
Ｓ２０で端末識別情報取得・書込手段１２０が、Ｓ１０において行われた一のＷＥＢページ情報３４０に係る閲覧要求３５０を取得する。図８の１行目で示すように、端末識別情報取得・書込手段１２０は、例えば、「ＵＲＬ：http://www.aaa.co.jp/kounyu.html」に対する閲覧要求を取得する。
Ｓ２０で端末情報通知手段１４０が、Ｓ２０において取得した端末識別情報３３０及び閲覧要求３５０を制御装置２００へ通知する。
【００６１】
Ｓ３０で制御装置２００が、Ｓ２０において通知された端末識別情報３３０で対象ユーザーを特定し、特定した対象ユーザーに係るＷＥＢページ情報３４０の閲覧履歴としてユーザー情報記憶装置２４０に記録する。図８の１行目で示すように、例えば、制御装置２００は、端末識別情報３３０「１００００１」で識別されるユーザーの閲覧履歴１として「ＵＲＬ：http://www.aaa.co.jp/kounyu.html」をユーザー情報記憶装置２４０に記録する。
【００６２】
Ｓ４０で端末識別情報取得・書込手段１２０が、ユーザー端末３２０がユーザー端末識別情報３３０を有していない場合、新たにユーザー端末識別情報３３０を割り当てる。そして、端末情報通知手段１４０が、Ｓ４０において新たに割り当てたユーザー端末識別情報３３０を制御装置２００へ通知する。端末識別情報取得・書込手段１２０は、例えば、ユーザー端末識別情報３３０として「１００００３」等の情報を新たに割り当てる。
【００６３】
Ｓ５０で制御装置２００が、Ｓ４０において通知された端末識別情報３３０を新たにユーザー情報記憶装置２４０に記録する。制御装置２００は、例えば、ユーザー端末識別情報３３０として「１００００３」等の情報を新たにユーザー情報記憶装置２４０に記録する。
Ｓ６０で端末識別情報取得・書込手段１２０が、Ｓ４０において新たに割り当てたユーザー端末識別情報３３０をユーザー端末３２０へ通知する。
【００６４】
Ｓ７０でユーザー端末３２０が、Ｓ６０において通知された端末識別情報３３０を自身の記憶装置に記録する。制御装置２００は、例えば、ユーザー端末識別情報３３０として「１００００３」等の情報を新たにユーザー情報記憶装置２４０に記録する。ユーザー端末３２０による端末識別情報３３０の書き込みについては、クッキー（Cookie、HTTP Cookie）の機能が利用される。
【００６５】
Ｓ８０でユーザー端末３２０が、提供装置１００が提供する商品・サービスの購入ＷＥＢページ４００又は商品・サービスの試供申込ＷＥＢページ４１０において、ユーザー端末３２０を操作するユーザーを特定するユーザー特定情報３９０の入力操作を行う。ユーザー特定情報３９０は、商品・サービスの購入を行う時や試供申し込みを行う時に入力する「氏名」「住所」「電子メールアドレス」「性別」「生年月日」等の情報である。
【００６６】
Ｓ９０でユーザー情報取得手段１３０が、Ｓ８０において入力されたユーザー特定情報３９０を取得する。このときユーザー情報取得手段１３０は、処理対象のユーザー端末３２０を識別するために、Ｓ２０又はＳ４０における端末識別情報取得・書込手段１２０と同様に、ユーザー端末識別情報３３０の取得処理又はユーザー端末識別情報３３０の新規割当処理を行う。
Ｓ９０で端末情報通知手段１４０が、Ｓ９０において取得したユーザー特定情報３９０及びユーザー端末識別情報３３０を制御装置２００へ通知する。
【００６７】
Ｓ１００で制御装置２００が、Ｓ９０において通知されたユーザー特定情報３９０をユーザー端末識別情報３３０と対応付けて、ユーザー情報記憶装置２４０に記録する。図８で示すように、制御装置２００は、例えば、ユーザー端末識別情報３３０「１００００１」と対応付けて、ユーザー特定情報３９０「氏名：道明  翔太」「住所：東京都世田谷区□□」等をユーザー情報記憶装置２４０に記録する。
【００６８】
Ｓ１１０で制御装置２００が、制御装置２００の管理者の操作に基づいて、制御規則抽出手段２２０が制御規則３７０の内容と制御規則３７０を適用する抽出条件４２０の設定が行われ、設定が行われた制御規則３７０の内容及び抽出条件４２０が制御規則記憶手段２１０に記憶される。図９の１行目で示すように、例えば、制御規則記憶手段２１０には、抽出条件４２０として「閲覧要求３５０：http://www.aaa.co.jp/teiki-kounyu.html」、「閲覧履歴３６０：http://www.aaa.co.jp/kounyu.html」が設定登録され、対応する制御規則３７０として「提供ＵＲＬ：http://www.aaa.co.jp/teiki-kounyu2.html」が設定登録される。
【００６９】
Ｓ１２０でユーザー端末３２０が提供装置１００に対し、一のＷＥＢページ情報に係る閲覧要求３５０を行う。なお、ユーザー端末３２０からのＷＥＢページ情報３４０の閲覧要求３５０は、グーグル（登録商標）やヤフー（登録商標）等の検索エンジンの検索結果を経由して行われる場合や、リスティング広告やアフィリエイト広告等のインターネット上の広告を介して行われる場合を想定する。また閲覧要求３５０は、ＷＥＢブラウザに直接ＵＲＬを入力指定して行われるものであっても良い。
【００７０】
Ｓ１３０で端末識別情報取得・書込手段１２０が、Ｓ１２０において閲覧要求３５０を行ったユーザー端末３２０に対し、ユーザー端末識別情報３３０の提供を要求すると共に、要求に応じ提供される端末識別情報３３０を取得する。図８の１行目で示すように、端末識別情報取得・書込手段１２０は、例えば、端末識別情報３３０「１００００１」を取得する。
【００７１】
Ｓ１３０で端末識別情報取得・書込手段１２０が、Ｓ１２０において行われた一のＷＥＢページ情報３４０に係る閲覧要求３５０を取得する。図９の１行目で示すように、端末識別情報取得・書込手段１２０は、例えば、「ＵＲＬ：http://www.aaa.co.jp/teiki-kounyu.html」に対する閲覧要求を取得する。
【００７２】
Ｓ１３０で端末情報通知手段１４０が、Ｓ１３０において取得した端末識別情報３３０及び閲覧要求３５０を制御装置２００へ通知する。例えば、端末情報通知手段１４０は、制御装置２００に対し、端末識別情報３３０「１００００１」及び閲覧要求３５０「ＵＲＬ：http://www.aaa.co.jp/teiki-kounyu.html」を通知する。
【００７３】
Ｓ１４０で制御規則抽出手段２２０が、Ｓ１３０において通知された端末識別情報３３０をユーザー情報記憶手段２４０に記憶される情報と照合し、対象ユーザーを特定する。図８で示すように、制御規則抽出手段２２０は、端末識別情報３３０「１００００１」をユーザー情報記憶手段２４０に記憶される情報と照合し、対象ユーザーを「氏名：道明  翔太」と特定する。
【００７４】
Ｓ１４０で制御規則抽出手段２２０が、Ｓ１４０において特定した対象ユーザーとユーザー情報記憶手段２４０で対応付けて記憶されるユーザー特定情報３９０及びＳ１３０において通知された閲覧要求３５０と、制御規則記憶手段２１０に記憶される抽出条件４２０とが合致するか否かを判定する。制御規則抽出手段２２０は、閲覧要求３５０「ＵＲＬ：http://www.aaa.co.jp/teiki-kounyu.html」及び対象ユーザーと対応付けられるユーザー情報３９０「氏名：道明  翔太」「住所：東京都世田谷区□□」…、閲覧履歴３６０「履歴１：http://www.aaa.co.jp/kounyu.html」…が、何れかの抽出条件４２０と合致するか否かを判定する。図９の１行目で示すように、制御規則抽出手段２２０は、例えば、閲覧要求３５０「ＵＲＬ：http://www.aaa.co.jp/teiki-kounyu.html」及びユーザー情報３９０「履歴１：http://www.aaa.co.jp/kounyu.html」が抽出条件４２０と合致すると判定する。
【００７５】
Ｓ１４０で制御規則抽出手段２２０が、ユーザー特定情報３９０及び閲覧要求３５０が抽出条件４２０に合致していると判定した場合、合致していた抽出条件４２０に対応する制御規則３７０を制御規則記憶手段２１０から抽出する。図９の１行目で示すように、制御規則抽出手段２２０は、例えば、制御規則４２０「提供ＵＲＬ：http://www.aaa.co.jp/teiki-kounyu2.html」を抽出する。
【００７６】
Ｓ１５０で制御規則通知手段２３０が、Ｓ１４０において抽出した制御規則４２０を提供装置１００へ通知する。制御規則通知手段２３０は、例えば、制御規則４２０として「提供ＵＲＬ：http://www.aaa.co.jp/teiki-kounyu2.html」を提供装置１００へ通知する。
【００７７】
Ｓ１６０でＷＥＢページ特定手段１５０が、Ｓ１５０において通知された制御規則３７０に従って、ＷＥＢページ記憶手段１１０に記憶される情報の中から、ユーザー端末３２０に提供するＷＥＢページ情報３４０を特定する。
【００７８】
ＷＥＢページ特定手段１５０は、当初の閲覧要求３５０に係るＷＥＢページ情報３４０とは異なるＵＲＬで指定されるＷＥＢページ情報３４０を選択する形態であっても良い。図３及び４で示すように例えば、ＷＥＢページ特定手段１５０は、当初の閲覧要求３５０に係るＷＥＢページ情報３４０が図３で示されるようなＷＥＢページであるところ、図４で示すようなＷＥＢページを選択する。図４は、既に１度、商品・サービスを購入している客には通常の商品紹介用ＷＥＢページは見せず、特別な提案を行う（定期購入を促す）ＷＥＢページを見せるような販売促進の手段への適用例を示している。
【００７９】
また、ＷＥＢページ特定手段１５０は、当初の閲覧要求３５０に係るＷＥＢページ情報３４０と同一のＵＲＬで指定されるＷＥＢページ情報３４０であるが、制御規則３７０で指定されるテキスト情報、画像情報、音声情報又は動画情報を所定位置に挿入してＷＥＢページ情報３４０を生成する形態であっても良い。ここで、ＷＥＢページ情報３４０に挿入される情報は、ユーザー情報取得手段１３０によって取得されたユーザー特定情報３９０に基づく情報であっても良い。
【００８０】
図５で示すように例えば、ＷＥＢページ特定手段１５０は、指定されるＷＥＢページ情報３４０の右上位置に所定の画像情報を挿入して、ユーザー端末３２０へ提供するＷＥＢページ情報３４０を生成する。図５は、例えば、時期に応じた特別な提案を行う（期間限定商品キャンペーン、在庫処分の割引キャンペーン等）ＷＥＢページを見せるような販売促進の手段への適用例を示している。
【００８１】
図６で示すように例えば、ＷＥＢページ特定手段１５０は、指定されるＷＥＢページ情報３４０の最上位位置に、ユーザー特定情報３９０（ここでは「商品購入日」、「ユーザーの氏名」）を挿入して、ユーザー端末３２０へ提供するＷＥＢページ情報３４０を生成する。図６は、例えば、商品を購入（試供品を申込み）した日から一定期間内の客に対し特別な提案（定期購入を促す）ＷＥＢページを見せるような販売促進の手段への適用例を示している。
【００８２】
さらに、ＷＥＢページ特定手段１５０は、当初の閲覧要求３５０に係るＷＥＢページ情報３４０とは異なるＵＲＬで指定されるＷＥＢページ情報３４０を選択すると共に、選択したＷＥＢページ情報３４０の所定位置に、制御規則３７０で指定されるテキスト情報、画像情報、音声情報又は動画情報を挿入してＷＥＢページ情報３４０を生成する形態であっても良い。
【００８３】
Ｓ１６０でＷＥＢページ通知手段１６０が、Ｓ１６０において特定されたＷＥＢページ情報３４０を、ＷＥＢページ情報３４０の閲覧要求を行ったユーザー端末３２０に対し通知する。
Ｓ１７０でユーザー端末３２０が、Ｓ１６０において通知されたＷＥＢページ情報３４０を、ＷＥＢブラウザを利用して閲覧する。
【００８４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００８５】
１      ＷＥＢページ提供システム
１００  ＷＥＢページ提供装置
１１０  ＷＥＢページ記憶手段
１２０  端末識別情報取得・書込手段
１３０  ユーザー情報取得手段
１４０  端末情報通知手段
１５０  ＷＥＢページ特定手段
１６０  ＷＥＢページ通知手段
２００  提供ページ制御装置
２１０  制御規則記憶手段
２２０  制御規則抽出手段
２３０  制御規則通知手段
２４０  ユーザー情報記憶手段
３１０  通信ネットワーク
３２０  ユーザー端末
３３０  ユーザー端末識別情報
３４０  ＷＥＢページ情報
３５０  （ＷＥＢページの）閲覧要求
３６０  閲覧請求に係る履歴
３７０  制御規則
３８０  ユーザー属性情報
３９０  ユーザー特定情報
４００  商品・サービスの購入ページ
４１０  商品・サービスの試供申し込みページ
４２０  抽出条件
５１０、６１０  ＣＰＵ
５２０、６２０  ＲＯＭ
５３０、６３０  ＲＡＭ
５４０、６４０  補助記憶装置
５５０、６５０  通信インターフェース
５６０、６６０  入力装置
５７０、６７０  出力装置
５８０、６８０  記録媒体インターフェース
５９０、６９０  記録媒体
【要約】
【課題】
開示するＷＥＢページ提供システムは、検索エンジンの検索結果又はリスティング広告・アフィリエイト広告等から対象サイトへのアクセスがあった場合に、商品役務の販売促進の手段としての機能を提供する。
【解決手段】
開示するＷＥＢページ提供システムは、ユーザー端末からの一のＷＥＢページ情報に係る閲覧要求及びユーザー属性情報が所定の条件を満たす場合、満たされた所定の条件と対応付けられる制御規則を抽出する制御規則抽出手段と、制御規則抽出手段によって抽出された制御規則に基づいて、ＷＥＢページ記憶手段に記憶される他のＷＥＢページ情報を特定し、特定された他のＷＥＢページ情報をユーザー端末へ通知するＷＥＢページ通知手段と、を有することを特徴とする。
【選択図】図２【図１】
0005788115.tif 000002
【図２】
0005788115.tif 000003
【図３】
0005788115.tif 000004
【図４】
0005788115.tif 000005
【図５】
0005788115.tif 000006
【図６】
0005788115.tif 000007
【図７】
0005788115.tif 000008
【図８】
0005788115.tif 000009
【図９】
0005788115.tif 000010
【図１０】
0005788115.tif 000011
【図１１】
0005788115.tif 000012
【図１２】
0005788115.tif 000013